(57)【要約】  本発明は、例えば、アミューズメント機械の清浄排出／吸入ガスなどの空気流から空気汚染物質を除去する空気清浄機に関し、前記空気清浄機は、前記空気流内で、空気流の主流れ方向に対して実質的に垂直な方向にフィルタホルダ（５）によって保持され、互いに隣接する、好ましくは棒形状の複数のフィルタ要素（６）を含む少なくとも１つのフィルタ層（４ａ、４ｂ）を含むフィルタ装置を有する。本発明によれば、フィルタ装置は、フィルタ層の円周に沿って閉じた囲い体を有するのではなくて、フィルタ層の外周の少なくとも一部に沿って面が開放される。最外フィルタ要素の長手軸に対して平行な、または接線方向のフィルタ層の少なくとも１つの円周面部分（７、８）は、フィルタ層を囲む流れ制御要素のない開放された面として形成される。通常、フィルタ層が管状流れチャネル内に閉じ込められる先行技術とは異なり、本発明は、フィルタ層を通る空気流を案内し、かつ／または空気流がフィルタ要素から離れるのを防止するそのような流れ制御要素をなくし、特に、フィルタ層では、その開放された面において、フィルタ層を囲む流れ案内面、流れチャネル壁、フェンス、またはハウジング壁などの流れ制御要素が不要になる。【選択図】図１２
2013510703.tif 000002
【特許請求の範囲】
【請求項１】
空気流から空気汚染物質を除去する空気清浄機であって、前記空気から前記空気汚染物質を分離するフィルタ装置（１）を含み、前記フィルタ装置は、前記空気流（３）内で、空気流の主流れ方向に対して実質的に垂直な方向にフィルタホルダ（５）によって保持された少なくとも１つのフィルタ層（４）を含み、前記フィルタ層（４）は、互いに隣接する、好ましくは棒形状の複数のフィルタ要素（６）を含み、前記フィルタ層（４）は、前記フィルタ要素の最外のもの（６ｅ）に沿って延びる外周および／または前記フィルタ要素（６）の端部部分を有する、空気清浄機において、前記フィルタ層（４）の前記外周の少なくとも１つの部分（７、８）は、前記最外フィルタ要素（６ｅ）が、前記フィルタ層（４）の前記外周に沿って自由に延びる開放された面として形成されることを特徴とする空気清浄機。
【請求項２】
請求項１に記載の空気清浄機において、前記フィルタホルダ（５）は、
−  前記フィルタ層（４）の前記外周の２／３未満、好ましくは１／２未満に沿って延びるか、
−  または前記外周全体を自由にして、前記フィルタ層（４）の中央部分だけに延び、
前記フィルタホルダ（５）は、前記フィルタ要素（６）の長手軸に対して交差する方向に延び、前記フィルタ要素（６）によって画定される前記フィルタ層の平面に対して平行、または垂直に延びる、ビームまたは棒形状の保持要素（９）を含むことを特徴とする空気清浄機。
【請求項３】
請求項１または２に記載の空気清浄機において、前記フィルタ要素（６）は、前記フィルタホルダ（５）によって互いに堅固に連結されて、前記フィルタホルダ（５）から前記空気流に突出する、剛性自己支持構造体を形成することを特徴とする空気清浄機。
【請求項４】
請求項１乃至３の何れか１項に記載の空気清浄機において、前記フィルタ要素（６）は、前記フィルタホルダ（５）によって、前記空気流（３）内に片持ちの態様で保持されて、前記フィルタ要素（６）の少なくとも１つの端部（６ａ）が、自由に、かつ支持されずに延び、好ましくは、前記フィルタホルダ（５）は、前記フィルタ要素（６）の少なくとも１つの中央部分（６ｃ）に取り付けられ、したがって、前記フィルタ要素（６）は２つの自由端（６ａ、６ｂ）を有するか、または前記フィルタホルダ（５）は、前記フィルタ要素（５）の少なくとも１つの端部部分（６ａ）に取り付けられ、したがって、前記フィルタ要素（５）は１つの自由端を有することを特徴とする空気清浄機。
【請求項５】
請求項１乃至３の何れか１項に記載の空気清浄機において、前記フィルタ要素（６）は両端だけで支持されることを特徴とする空気清浄機。
【請求項６】
請求項１乃至５の何れか１項に記載の空気清浄機において、前記フィルタホルダ（５）は、前記フィルタ要素（６）の支持部分（６ｄ）が、フィルタ要素の円周の一部の領域だけで埋め込まれる支持面（１０）を含み、好ましくは、前記フィルタ要素（６）の前記支持部分（６ｄ）の前記円周の１／２π〜３／２πの領域が埋め込まれることを特徴とする空気清浄機。
【請求項７】
請求項１の前提部、または請求項１乃至６の何れか１項に記載の空気清浄機において、前記フィルタホルダ（５）は、前記フィルタ要素（６）と一体化して同じ材料からなる１つの部片に形成されることを特徴とする空気清浄機。
【請求項８】
請求項１乃至７の何れか１項に記載の空気清浄機において、前記フィルタホルダ（５）は、少なくとも２つのフィルタホルダ（５）を互いに連結して、重なり合った少なくとも２つのフィルタ層（４）を形成するための雌雄同体連結手段（１２）を有する取付面（１１）を含み、好ましくは、前記フィルタ要素（６）は、第２の層により、第２の層のフィルタ要素（６）間の間隙が出現する位置に第１の層の前記要素（６）が配置されるように、前記連結手段（１２）に対してずらして配置されることを特徴とする空気清浄機。
【請求項９】
請求項１乃至８の何れか１項に記載の空気清浄機において、前記少なくとも１つのフィルタ層（４）の前記フィルタ要素（６）は、互いに実質的に平行に配置された、実質的に直線状の複数のフィルタロッド（１３）によって形成されることを特徴とする空気清浄機。
【請求項１０】
請求項１乃至８の何れか１項に記載の空気清浄機において、前記フィルタ要素（６）は、互いに平行で、かつ離間した部分（１３ａ、１３ｂ、１３ｃ）を有する、少なくとも１つの湾曲した、蛇形状の、好ましくは渦巻状のフィルタロッド（１３）によって形成され、より好ましくは、少なくとも２つの渦巻状フィルタロッド（１３）は、渦巻軸の方向に見た場合に、前記渦巻状フィルタロッド（１３）の第１の渦巻状フィルタロッドが、前記渦巻状ロッド（１３）の第２の渦巻状フィルタロッドの脚部間の間隙（１４）に重なるように、回転方向にずらされることを特徴とする空気清浄機。
【請求項１１】
請求項１０に記載の空気清浄機において、互いに同一か、または相補的な２つの渦巻状フィルタロッド（１３）が、互いに離間して、または重なって、好ましくは前記空気流の方向に互いに離間した実質的に平行な平面内に配置され、前記２つの渦巻状フィルタロッドは、それらの内側端（６ａ）で前記フィルタホルダ（５）に、好ましくは、空気流の方向に互いに離間した、前記フィルタホルダ（５）の異なる部分に、および／または互いに回転方向にずれた、前記フィルタホルダ（５）の異なる円周部分に取り付けられることを特徴とする空気清浄機。
【請求項１２】
請求項１乃至１１の何れか１項、または請求項１の前提部に記載の空気清浄機において、前記フィルタ層（４）を円周で囲む取付フレーム（２６）は、前記空気流（３）の方向に見た場合に、前記フィルタ層（４）の投影領域（２８）に完全に重なる挿入凹部（２７）を設けられ、したがって、前記空気流（３）の方向で前記フィルタ層（４）を前記取付フレーム（２６）に着脱するのを可能にすることを特徴とする空気清浄機。
【請求項１３】
請求項１２に記載の空気清浄機において、前記挿入凹部（２７）は、前記取付フレーム（２６）を通る円筒状の貫通穴によって画定され、前記貫通穴は、基本的に、前記フィルタ層（４）の外周と合致する内周を有し、かつ／または圧入で前記フィルタ層を保持することを特徴とする空気清浄機。
【請求項１４】
空気流から空気汚染物質を除去する空気清浄機であって、前記空気から前記空気汚染物質を分離するフィルタ装置（１）を含み、前記フィルタ装置は、前記空気流（３）内で、空気流の主流れ方向に対して実質的に垂直な方向にフィルタホルダ（５）によって保持された少なくとも１つのフィルタ層（４）を含み、前記フィルタ層（４）は、少なくとも１つのフィルタ要素（６）を含み、前記空気清浄機は、前記空気流（３）を前記フィルタ装置（１）に通させる通風手段（２）をさらに含み、前記通風手段は、駆動ユニット（１６）によって駆動される通風装置ブレード（１５）を含む、空気清浄機において、前記フィルタ装置（１）は、前記駆動ユニット（１６）の前記通風装置ブレード（１５）と反対の側で、または前記通風装置ブレード（１５）の前記駆動ユニット（１６）と反対の側で、前記フィルタホルダ（５）によって、前記駆動ユニット（１６）および／または駆動ユニット支持体に取り付けられることを特徴とする空気清浄機。
【請求項１５】
請求項１４に記載の空気清浄機において、前記駆動ユニット支持体は、前記空気流に対して垂直に延び、前記通風手段（２）に堅固に連結された第１の脚部（２０１）と、前記第１の脚部（２０１）に堅固に連結され、前記駆動ユニット（１６）の外周面に沿って、かつ前記駆動ユニット（１６）から離間して、前記空気流に対して平行に延びる第２の脚部（２０２）とを有する、好ましくはＬ字形状の支持要素（２００）を含み、好ましくは、前記第１の脚部（２０１）は、前記駆動ユニット（１６）および／または前記通風装置ブレード（１５）を囲むチャネル形状の通風ハウジングの開口に、前記フィルタ装置（１）とともに取り付けられることを特徴とする空気清浄機。
【請求項１６】
ギャンブル、ベティング、および／またはエンターテインメント用のアミューズメント機械および／またはゲーム機械であって、ゲーム情報を表示する少なくとも１つの表示手段と、制御命令を入力するための制御パネルと、前記表示手段を制御する電気制御ユニットとが設けられたキャビネットを含み、前記電子制御ユニットは、前記キャビネットの内部に設けられ、請求項１乃至１５の何れか１項に記載の空気清浄機が、前記キャビネットの内部に設けられることを特徴とするアミューズメント機械および／またはゲーム機械。
【発明の詳細な説明】
【技術分野】
【０００１】
本発明は、例えば、アミューズメント機械の清浄排出／吸入ガスなどの空気流から空気汚染物質を除去する空気清浄機に関し、前記空気清浄機は、前記空気流内で、空気流の主流れ方向に対して実質的に垂直な方向にフィルタホルダによって保持され、互いに隣接する、好ましくは棒形状の複数のフィルタ要素を含む少なくとも１つのフィルタ層を含むフィルタ装置を有する。
【背景技術】
【０００２】
上記のタイプの空気清浄機は、機械排出ガスから空気汚染物質を除去するフィルタ装置を開示した国際公開第２００７／０２８１７６Ａ１号パンフレットから公知である。装置には、フィルタハウジングの両端で保持され、横方向にずらして重ね合わせた複数の層として配置された複数のフィルタスティックが設けられている。前記フィルタスティックは、シリコーンオイルなどの流体で濡れたプラスチック発泡体などの多孔質材料でできている。そのような湿式フィルタは、超微細粒子、および不快な臭気物などのガス状汚染物質を含む空気汚染物質を除去するのに非常に効果的であり、ガス状汚染物質は、流体と接触することで化学的に吸収および中和される。フィルタスティックアレイは、管状チャネルを形成するフィルタハウジング内に閉じ込められ、フィルタスティックは、管状チャネルの断面内に置かれる。この管状チャネルは、汚染された空気流をフィルタスティックアレイに通し、空気流がフィルタスティックの経路から外れるのを防止することを意図されている。しかし、そのようなフィルタスティック構成はある面で不利であり、例えば、このフィルタスティック構成は、すべてのスティックに一様なフィルタ負荷が作用するわけでなく、特に、内側スティックにかかるフィルタ負荷が、外側スティックにかかるフィルタ負荷と異なることを示した。さらに、そのようなフィルタスティック構成は、空気流の速度の影響を受けやすい。
【０００３】
事務機器の排出空気を清浄する湿式フィルタスティックを有する別のフィルタ装置が欧州特許第１３４５６６９号明細書から公知であり、この特許は、要素を濡らす流体が重力によりフィルタスティックに沿って下方に流れるように、直立した状態のフィルタスティックをそれらの両端で保持することを提案している。オイルである前記流体は、フィルタスティックより上のコンパートメントに貯蔵され、前記コンパートメント内にオイルパッドを設けることができる。
【０００４】
さらに、欧州特許出願公開第０５１５７５９Ａ１号明細書は、清浄される空気が通り抜けることができるように、前面および後面が格子で覆われた円筒状のハウジングが設けられ、前記ハウジング内には、炭素ペレットを含むことができるフィルタ本体が設けられた空気フィルタ装置を開示している。前記フィルタハウジングは、空気流を前記フィルタハウジングの開いた前面に送る通風装置のモータの後ろ側に配置される。
【０００５】
英国特許第２８９８４号明細書は、煙が通過する煙道に置かれた一連のスクリーンで煙を洗浄する装置を開示している。スクリーンは濡れており、供給タンクからの水が前記スクリーンを下方に流れる。
【０００６】
英国特許第８２３５４２号明細書は、木材廃棄物処理プラントの一部を形成する炉で生じた燃焼ガスを清浄する装置を開示しており、ガスはチャネルに強制的に通され、チャネル内では、複数のチューブが互いに近接した形で離間していて、ガスがチューブ間の隙間を通り抜けるようにする。ガス用の洗浄液は、前記チューブの外側を下方に流れる。
【０００７】
本発明は、前述のフィルタ装置を改良し、フィルタ装置の欠点をなくすことを目的とする。本発明の目的は、吸入／排出空気などの空気流から汚染物質を高い効率で除去し、例えば、小さい内部空間に収納することができる小型のフィルタ装置を有する改良された空気清浄機を提供することである。
【０００８】
本発明によれば、この目的は、請求項１による空気清浄機、および請求項１５によるアミューズメント機械によって達成される。本発明の好ましい実施形態は従属請求項に規定され、下記にさらに詳細に説明される。
【０００９】
本発明によれば、フィルタ装置は、フィルタ層の円周に沿って閉じた囲い体を有するのではなくて、フィルタ層の外周の少なくとも一部に沿って面が開放される。最外フィルタ要素の長手軸に対して平行な、または接線方向のフィルタ層の少なくとも１つの円周面部分はフレームがなく、フィルタ層を囲む流れ制御要素のない開放された面として形成される。通常、フィルタ層が管状流れチャネル内に閉じ込められる先行技術とは異なり、本発明は、フィルタ層を通る空気流を案内し、かつ／または空気流がフィルタ要素から離れるのを防止するそのような流れ制御要素をなくし、特に、フィルタ層では、その開放された面において、フィルタ層を囲む流れ案内面、流れチャネル壁、フェンス、またはハウジング壁などの流れ制御要素が不要になる。開放された面は、空気が横にそれるのを防止する流れ制限手段がなく、最外フィルタ要素の全面が前記空気流にさらされる。開放された面において、フィルタ層の外周を直接形成するのは最外フィルタ要素であり、前記最外フィルタ要素は、フィルタ層の外周（５）に沿って自由に延びる。驚くべきことに、そのような開放された面があると、流れの乱れがあまりなく、流動速度が速すぎることなしに、より層流の形態で空気が最外要素のまわりを流れて、空気汚染物質がより良好に吸収され得ると考えられるので、最外要素の清浄効率が高くなる。空気流は、フィルタ装置を通過する場合に、断面が限定されたハウジングチャネルを通ることを強いられないと同時に、フィルタ層の外周に向かって広がることができるので、最外フィルタ要素はより良好な効率を示し、フィルタ負荷がすべてのフィルタ要素に、より均一に分布する。さらに、フィルタ装置は、アミューズメント機械のキャビネットの内部などの小空間に、空気清浄機が受け入れられるのを可能にする、非常に小さくまとまった小型の構造を示す。本発明の好ましい実施形態によれば、フィルタ要素は、前記フィルタホルダによって互いに堅固に連結され、フィルタ要素はフィルタホルダとともに、前記フィルタ装置の側部に配置された横取付点から空気流に突出する剛性自己支持構造を形成する。フィルタ層の剛性自己支持構造により、フィルタ装置用の取付構造体を設計する際に高い自由度が得られ、他方で、フレームのないフィルタ層構造により、フィルタ層の最外部分の空気清浄効率が高くなる。
【００１０】
フィルタホルダは、フィルタ層の外周の１／２を超えて遮らないのが好ましく、フィルタホルダは、フィルタ層の外周の２／３、好ましくは１／２未満に沿って延びることができるし、または、好ましい実施形態によれば、フィルタホルダは、外周全体を自由なままにして、前記フィルタ層の中央部分内だけで延びることもできる。フィルタ層の外周をそのようにきわめて限定的に遮るために、フィルタホルダは、フィルタ要素の長手軸と交差する方向に延びるビームまたは棒形状の保持要素で形成することができる。１つの好ましい実施形態では、前記ビームまたは棒形状の保持要素は、フィルタ要素によって画定されるフィルタ層平面に対して平行に延び、そのため、保持要素は複数のフィルタ要素またはフィルタ部分を横断する。別の好ましい実施形態では、棒形状の保持要素は、フィルタ層平面に対して直角に延びることができ、好ましくは、保持要素はフィルタ層の中心部分と単に接触し、したがって、フィルタ層は、片持ちの態様で前記中心保持点から、支持されていないフィルタ層の外周に向かって延びる。
【００１１】
端面を含むフィルタ要素の端部または先端の表面も利用するために、フィルタ要素は、少なくとも１つの自由端を有するように支持することができる。本発明の好ましい実施形態によれば、フィルタ要素は、フィルタホルダにより、片持ちの態様で前記空気流内に保持され、フィルタ要素の少なくとも一方の端部は、支持されずに自由に延びる。フィルタ要素のそれぞれの端部に支持要素がないために遮蔽物がなくなり、端部が空気汚染物質を効率的に捕捉することが可能になる。
【００１２】
本発明の有益な実施形態によれば、前記フィルタホルダは、フィルタ要素の中央部分に取り付けられ、したがって、フィルタ要素は２つの自由端を有する。そのように、単一の保持要素を用いてフィルタ要素を中央で支持することで、空気流を遮る保持装置の横断部分が最小化されるだけでなく、フィルタ要素の支持されない長さも短くなり、この支持されない長さは、フィルタ要素の全長の約半分にすぎない。
【００１３】
一方、本発明の別の有益な実施形態によれば、保持要素は、前記フィルタ要素が、自由な、支持されない端部を一方だけ有するように、フィルタ要素の端部に取り付けることができる。この典型的なタイプの片持ち支持により、特に、重なり合った複数のフィルタ層がある場合に、フィルタ層の取り付けおよび交換が容易になる。
【００１４】
保持装置は、フィルタ層のすべてのフィルタ要素が堅固に連結された概ね棒またはビーム形状の保持要素を含むのが好ましい。前記保持要素は、フィルタ層の幅全体に延びるのが好ましく、保持要素の長手軸は、フィルタ要素の長手軸に対して交差する方向に、好ましくは実質的に垂直な方向に延びることができる。一方、本発明の別の実施形態によれば、保持要素は、保持要素の長手軸が、約３０°〜９０°、好ましくは３０°〜６０°の角度でフィルタ要素の長手軸に対して傾斜するように、フィルタ要素を対角線方向に横断することができる。
【００１５】
前記片持ち支持構造の代替案として、フィルタ要素は、一対の保持要素によって両端で支持することができる。この実施形態によれば、フィルタ要素の破断を阻止する強度が増す。フィルタ要素の端部は、フィルタ層の両方のそれぞれの側が、前記保持要素によって包囲されるように、それぞれの保持要素に強固に連結される。それでも、フィルタ層の円周、すなわち、フィルタ要素の長手軸に平行な円周面の残部は、フィルタ層を囲む保持要素、またはフェンス、またはハウジング壁がなく開放されている。
【００１６】
一般的に、フィルタ要素と前述の保持要素との間の様々な連結があり得る。例えば、保持要素は、断面形状がフィルタ要素に合致する穴状の凹部を有することができる。一方、本発明の好ましい実施形態によれば、棒またはビーム形状であるのが好ましい前記少なくとも１つの保持要素は、フィルタ要素が支持部分で埋め込まれた支持面を含み、フィルタ要素の支持部分は、前記支持面に一部のみが埋め込まれて、フィルタ要素の円周面の他の部分が、前記支持面から突出するのが好ましい。フィルタ要素の支持部分の露出部分（すなわち、埋め込まれていない部分）により、有効フィルタ面が増大し、フィルタ要素の支持部分においてでさえ、フィルタ要素は空気汚染物質を吸収することができ、フィルタ層の前述の開放された面の有無にかかわらず、フィルタ効率が高くなる。有効フィルタ表面積の望ましい増大と必要な支持強度とのバランスをとるために、フィルタ要素の支持部分の円周のうちの１／２π〜３／２πの領域を保持要素の支持面に埋め込むことができる。フィルタ要素および保持要素の両方を成形型から容易に取り出すことを可能にするために、円周のうちの１πの領域が埋め込まれるのが好ましい。
【００１７】
前記保持要素は、フィルタ要素の材料とは異なる材料で形成することができ、保持要素の支持面は、フィルタ要素の埋め込まれる円周面の形状に合わせた外形を有することができて、フィルタ要素は前記外形に対接して収まる。例えば、フィルタ要素が円形断面の円筒形状を有する場合、保持要素の支持面は、円筒形に合わせた溝形状の窪みを有することができる。フィルタ要素を保持要素に連結するために、フィルタ要素を前記埋め込み外形部に接着することができる。
【００１８】
本発明の別の有益な態様によれば、保持要素は、フィルタ要素と一体化して同じ材料から１つの部品に形成することができ、焼結加工を使用できるのが好ましい。本発明の別の実施形態では、フィルタ要素および保持要素は、場合によっては発泡成形加工で型成形することができる。保持要素およびフィルタ要素のそのような一体化した一部片構造に対しては、上記の片持ち支持構造が好ましく、その理由は、片持ち支持構造により、型成形されたフィルタ要素および保持要素から成形型の半体を取り外すのが容易になるからである。特に、保持要素およびフィルタ要素を含む一部片構造は、フィルタ要素の長手軸の方向および／またはその長手軸に垂直な方向にアンダーカットおよび逆勾配のない形状を有することができる。言い換えると、フィルタ要素および保持要素を含む前記一部片構造は、分割面が、好ましくはフィルタ要素の長手軸に対して垂直に延びるように成形することができる。フィルタ層のすべてのフィルタ要素は、フィルタ層を保持する保持要素とともに１つの部片に形成され、２つ以上のフィルタ層のフィルタ要素でさえ、保持要素とともに１つの部片に形成することができるのが好ましい。
【００１９】
基本的に、フィルタ要素に対して、および、任意選択で、保持要素に対して様々な材料を使用することができ、好ましい実施形態によれば、フィルタ装置は、フィルタ要素の構造材料を濡らすのに適した流体を含む湿式フィルタ装置である。言い換えると、フィルタ要素は、空気汚染物質を吸着または吸収する、化学的および／または物理的活性流体のための貯蔵媒体として設計することができる。清浄される空気に存在する汚染物質のタイプに応じて、かつそのタイプに合わせて、オイル、乳剤、または液体などの流体を使用できるのが好ましい。任意選択で、抗菌剤、抗ウイルス剤、抗かび剤、または殺菌剤を濡らし流体に加えることができる。濡れるフィルタ要素の基材として、好ましくは、樹脂発泡体、またはセルロースもしくはポリエステルなどの有機、無機、もしくは天然繊維などの様々な多孔質材料を挙げることができ、好ましい実施形態では、シリコーンオイルで濡れるＰＵ発泡体でできたフィルタ要素を使用する。
【００２０】
ただし、用途およびフィルタ処理される汚染物質のタイプに応じて、濡れても、濡れなくてもよい他のフィルタ材料を使用することが可能であり、織物、スポンジゴム、発泡樹脂、またはフィルタを通過する空気に乗ってくる粒子を収集するための他の気泡材料などの多孔質粒子フィルタ材料を使用するだけで一部の用途には十分であり得る。
【００２１】
フィルタを様々な使用条件に容易に適合させ、フィルタ装置の容量および有効フィルタ面を変えることができるようにするために、フィルタ装置は、様々な数量および／または様々な向きで互いに取り付けることができる基本構成要素からなるモジュール構造を付与される。本発明の好ましい実施形態によれば、フィルタ要素を保持する保持装置は、同じ形状を有する保持装置と連結できるように設計される。特に、保持装置には、少なくとも２つのフィルタホルダを互いに連結して、重ね合わせた少なくとも２つのフィルタ層を形成するための雌雄同体の連結手段が設けられる。したがって、単に、複数のフィルタ要素を含むフィルタ層をそれぞれが保持する所望の数量の保持装置を連結することで、フィルタ層の積み重ね体を形成することができる。
【００２２】
異なるフィルタ層内のフィルタ要素が縦に並んだ配置を回避するために、２つのフィルタホルダが互いに連結された場合に、空気流の方向に見て、第１のフィルタ層のフィルタ要素が、第２の層のフィルタ要素間の間隙と重なるように、フィルタ要素を前述の雌雄同体の連結手段に対してずらして配置するのが好ましい。
【００２３】
特に有益な実施形態によれば、保持装置の前述の保持要素には、フィルタ要素が埋め込まれる支持面とは反対側の裏面に前記雌雄同体の連結手段が設けられる。したがって、保持要素の裏面を互いに対向させて、２つのビーム形状の保持要素を互いに連結することができる。
【００２４】
フィルタ要素は、基本的に、様々な幾何配置および形状を有することができ、全体として細長い、より好ましくは、長さと直径との比率が５を超える、特に、１０を超える棒形状のフィルタ要素を有するのが好ましく、つまり、棒形状のフィルタ要素は、フィルタ要素の直径の少なくとも５倍の長さを有することができる。断面形状も変えることができ、使用条件に合わせることができる。例えば、フィルタ要素は、三角形または多角形の断面を有することができ、特に、四角形または長方形の断面が可能である。一方、本発明の好ましい実施形態によれば、フィルタ要素は、有利にも、フィルタ要素のまわりの円滑な流れを実現して、汚染物質の吸収を高めるために、丸みの付いた断面、例えば、円形、だ円形、または長円形の断面を有する。断面形状は、例えば、直径が長さに沿って変わる、または三角形状が丸みの付いた断面になるといった形で、細長い要素の長手方向伸長部分に沿って変えることができる。一方、好ましい実施形態によれば、フィルタ要素は、実質的に連続した、好ましくは一定断面の細長い形状を有する。
【００２５】
本発明の好ましい実施形態によれば、フィルタ要素は、フィルタ層内で互いにほぼ平行に配置された実質的に直線状のロッドである。フィルタ装置が複数のフィルタ層を含む場合、異なる層のフィルタロッドは、空気流の方向に見たときに、第１の層のフィルタロッドが、第２の層のフィルタロッド間の間隙に重なるように、互いにずれた状態で、互いに平行に配置することができる。
【００２６】
本発明のさらに好ましい実施形態によれば、少なくとも１つのフィルタ層のフィルタ要素は、少なくとも１つの湾曲した、蛇形状の、および／または、好ましくは互いに平行でかつ互いに離間した部分を有する渦巻状のフィルタロッドによって形成することができる。言い換えると、ただ１つの連続する、ロッド形状のフィルタ本体とすることができ、このフィルタ本体の各部分が、冒頭で説明した複数のフィルタ要素を形成する。例えば、蛇状フィルタロッドは蛇行してもよいし、または互いに平行で、かつ互いに隣接する実質的に直線状の脚部を有するグリークキーパターンとしてもよい。一方、本発明の好ましい実施形態によれば、蛇状フィルタロッドは、渦巻形状、例えば、対数渦巻形状、または線形渦巻形状を有する。そのような渦巻状フィルタロッドを含むフィルタ層は、保持装置の小さい表面と比較して大きい有効フィルタ面を可能にし、フィルタ層のかなりコンパクトな構造および小さい円周にもかかわらず、大きな有効フィルタ面を得ることができる。
【００２７】
好ましくは、そのような渦巻形状のフィルタロッドは、前述のように片持ちの態様で支持され、有利にも、渦巻状フィルタロッドの内側端が、保持装置の保持要素に取り付けられる。
【００２８】
フィルタの効果を高めるために、複数の渦巻状フィルタロッドを互いに結合することができ、第１の渦巻状フィルタロッドを第２の渦巻状フィルタロッドに対して回転方向にずらすのが好ましい。特に、複数の渦巻状フィルタロッドの回転方向のずれは、渦巻軸の方向に見たときに、第１の渦巻状フィルタロッドが、第２の渦巻状フィルタロッドの脚部間の間隙に重なるように選択され、前記複数の渦巻状フィルタロッドは、共通の渦巻軸を有するのが好ましい。
【００２９】
小さくまとまった小型の支持構造を可能にするために、前記複数の渦巻状フィルタロッドは、それらの内側端部で、好ましくは円筒形状を有し、渦巻軸に実質的に平行に延びる共通保持要素に連結することができる。フィルタロッドの幾何配置および形状に応じて、２つの渦巻状フィルタロッドが１つの共通平面内に配置されてよいし、または、代替案では、互いに離間した２つの実質的に平行な平面に配置されてもよい。空気流がフィルタ要素と接触することなくフィルタ層を通過するのを防止するのに寄与する良好な組み合わせパターン、または重なりという観点から、互いに離間した平行な平面にある後の構成が好ましい。第１の層の２つのフィルタ要素間のギャップを通過した空気はまっすぐ前方に流れて第２のフィルタ層のフィルタ要素に当たる。
【００３０】
容易な製造を可能にするために、渦巻状フィルタ要素は、互いに同じ形状を有することができる。
【００３１】
代替案では、少なくとも２つの渦巻状フィルタ要素は、第１の渦巻状フィルタ要素が第２の渦巻状フィルタ要素の脚部間の間隙に密接して嵌るように互いに相補的な形状を有することができる。そのような相補的な形状にすることで、フィルタ要素を、共通の、好ましくは板形状の共通ブランクから切り出すことが可能になる。
【００３２】
フィルタ装置のフィルタ層は、前述の保持要素を用いてベース支持構造体に直接取り付けることができる。例えば、フィルタ層は、空気流をフィルタ装置に通させる通風手段に取り付けることができ、例えば、保持要素は、通風装置のブレードを駆動する駆動ユニット、または駆動ユニット支持体に取り付けることができる。本発明の好ましい実施形態によれば、フィルタ装置は、好ましくは、駆動ユニットおよび／または通風手段の通風装置ブレードを囲み、空気流をフィルタ装置に向けるチャネルを形成するチャネル形状の通風ハウジングに直接取り付けることができ、前記フィルタ装置は、通風ハウジングの開口の正面で、開口から出た空気流内に配置されるのが好ましい。ただし、そのような直接取り付けの代替案として、フィルタ層を間接的に取り付けることも可能である。フィルタ装置を通風手段に連結し、特定の位置関係でフィルタ装置を通風手段に保持する取付手段を設けることで、ゲーム装置のハウジングなどのきわめて限定された空間内に取り付けることができる、非常に小さくまとまった小型の空気清浄機が得られる。フィルタ装置は、基本的に、通風手段のどちらの側にも配置することができる。
【００３３】
本発明の有益な態様によれば、フィルタ装置は、通風手段の駆動ユニットの通風装置ブレードと反対の側にフィルタホルダによって保持されて、通風手段のモータまたは駆動ユニットが、通風装置ブレードとフィルタ装置との間に配置されるか、またはフィルタ装置は、通風装置ブレードの駆動ユニットと反対の側にフィルタホルダによって保持されて、通風装置ブレードがフィルタ装置と駆動ユニットとの間に配置され、いずれの場合にも、通風装置ブレード、駆動ユニット、およびフィルタ装置の中心軸が実質的に同軸上に配置される同軸配置が好ましい。通風手段のそれぞれの側にフィルタ層を配置する、すなわち、一方のフィルタ装置を通風手段の駆動ユニットの通風装置ブレードと反対の側に配置し、もう一方のフィルタ装置を通風装置ブレードの駆動ユニットと反対の側に配置することも本発明の範囲内である。通風手段の両端面の一方にフィルタ装置をそのように取り付けることで、小さくまとまった小型の構成が可能になるだけでなく、空気流が正確にフィルタ層に通されるので、空気汚染物質を分離する際の効率も高くなる。前記フィルタ層は、複数の棒形状のフィルタ要素、または少なくとも１つの湾曲した蛇形状もしくは渦巻状のフィルタロッドを含む上記の構造を有することができるが、フィルタ層はまた、例えば、スポンジ状の発泡材料または気泡材料でできた、連続するシート状の多孔質要素で形成することもでき、２つ以上のそのようなシート状の層を多層構成に結合することも可能である。それでもなお、好ましい実施形態によれば、互いに隣接し、間にギャップのある細長いフィルタ要素を含む前述のフィルタ層構造の１つがフィルタ装置に使用される。
【００３４】
特に、フィルタ装置が、フィルタホルダによって通風手段に保持される場合に、好ましくはＬ字形状の支持要素を含む駆動ユニット支持体を有するのが好ましく、Ｌ字形状の支持要素は、通風手段に連結された第１の脚部と、装置をゲーム機械のハウジング、支持支柱などの任意の外部構造要素に取り付けるための取付手段を有する第２の脚部とを含む。前記２つの脚部は、堅固な態様で互いに連結されるのが好ましく、より好ましくは、２つの脚部は、互いに一体とされて金属または樹脂などの十分な剛性の材料で作製される。より好ましくは、第１の脚部は、通風ブレードの回転軸に対して実質的に垂直に延び、前記第１の脚部は、回転する通風装置ブレードによって画定される円形領域と少なくとも同じ大きさの中央凹部を含むことができ、したがって、前記通風装置ブレードの空気流のためのクリアランスを付与する。
【００３５】
前記支持要素の第２の脚部は、駆動ユニットの側面に沿って前記駆動ユニットから所定の距離離間して、空気流に対して実質的に平行に延びるのが好ましい。
【００３６】
そのように曲がった支持要素は、非常に小さい空間に空気清浄機を取り付けることを可能にし、製造しやすいが、それにもかかわらず、高剛性で十分に硬い、非常にコンパクトな取付構造体を形成する。
【００３７】
支持要素の前記第１の脚部は、駆動ユニットおよび／または前記通風装置ブレードを囲むチャネル形状の通風ハウジングの開口に、前記フィルタ装置とともに取り付けられるのが好ましい。
【００３８】
本発明の別の有益な態様によれば、フィルタ装置のフィルタ層は、円周でフィルタ層を囲む取付フレームに挿入され、前記取付フレームは、空気流の方向に見た場合に、フィルタ層の投影領域に完全に重なる挿入凹部を含み、したがって、フィルタ層を空気流の方向で取付フレームに着脱するのを可能にする。先行技術と異なり、そのような取付構造は、フィルタ要素が、空気流に対して垂直な方向、および／またはフィルタスティックの長手方向に対して平行な方向に挿入される従来技術の場合のように、フィルタ要素を保持凹部に別々にねじ留めする必要がないので、フィルタ層の取り付け、取り外し、および交換をかなり容易にする。これは、特に、フィルタ要素が片持ちの態様で支持され、そのため、自由な、支持されない端部を有する場合に有益である。
【００３９】
前記取付部の挿入凹部は、基本的に、挿入されるフィルタ層の形状または円周と一致する窓開口部の形状を有する。好ましくは、挿入凹部は、取付フレームを通る円筒状貫通穴によって画定され、貫通穴の内周は、フィルタ層が圧入によって前記挿入凹部に保持されるように、基本的に、フィルタ層の外周と合致する。挿入凹部は、必ずしもフィルタ層のそれぞれの側部または円周全体を保持する必要はなくて、対向する側部のみでフィルタを保持することができる。フィルタ層が、平行で実質的に直線状のフィルタスティックアレイで構成される場合、前記棒形状の要素の両端に挿入凹部への圧入部を有するのが好ましく、それに対して、フィルタスティックの長手軸に平行なフィルタ要素の他の２つの側部は、周囲の挿入凹部に対してある程度の間隙を有することができる。フィルタスティックの端部を挿入凹部に圧入する、かつ／またはフィルタスティックのこれらの端部に設けられた保持要素を挿入凹部に圧入する場合、座屈歪みのみを受ける圧縮バーまたは柱としてフィルタスティックが使用される。
【００４０】
空気清浄機は、空気が機械のハウジング内でフィルタ処理されるように、例えば、ギャンブルまたはアミューズメント機械のキャビネット内に設けられるのが好ましい。
【００４１】
コインで作動するギャンブル機械などのアミューズメント機械は通常、喫煙、人間の発汗、または食物の臭気により空気が汚染されることが多いカジノまたはギャンブル場で使用される。別の問題として、アミューズメント機械によって生成される排出ガスがあり、アミューズメント機械には通常、埃または他の粒子で汚染されることが多い高温排出空気を生成する電子コントローラおよびディスプレイが設けられる。したがって、そのようなアミューズメント機械が使用される部屋の空気を清浄することが望ましく、アミューズメント機械の損傷を受けやすい部品への危害を阻止するために、機械の吸入空気を清浄し、他方で、機械が使用される部屋の空調をより良好に行って、アミューズメント機械を使用するプレイヤーの快適感を高めるために、そのようなアミューズメント機械の排出ガスを清浄することが望ましい。
【００４２】
結果として、空気清浄機は、アミューズメント機械の吸入空気および排出空気の両方を清浄し、それによって、カジノまたはギャンブル場のそれぞれの部屋の空気の品質を高め、ひいては、ビジターの快適感を高め、他方で、汚染粒子が吸入空気に存在する状況からアミューズメント機械の電子部品を保護する。空気清浄機は、アミューズメント機械で使用されるのが好ましいが、空気清浄機を使用する別の選択肢がある。例えば、空気清浄機をレーザプリンタなどの他のオフィス機械、真空掃除機などの家電品用に使用することができる。他の有利な使用分野は、車両、特に、車室内の空気を清浄するために空気清浄機を使用することがある自動車、すなわち、空調および暖房システムの分野、真空掃除機または空気フィルタを利用することがある他の様々な種類の家庭用製品、軍装備品、航空産業、鋼および重金属産業などである。他の有利な使用分野は、医薬品の製造であり、すなわち、医療産業にある。
【００４３】
以下において、添付の図面を参照して、本発明の好ましい実施形態がさらに詳細に説明される。
【図面の簡単な説明】
【００４４】
【図１】図１は、本発明の好ましい実施形態によるフィルタ装置の斜視図を示しており、棒形状のフィルタ要素が互いに平行に配置され、両端で保持装置によって保持されている。
【図２】図２は、図１のフィルタ装置の斜視図を示し、フィルタ装置が、空気流をフィルタ層に通させる通風装置に取り付けられ、フィルタ要素は使用された状態で示され、フィルタ要素の汚染が見える。
【図３】図３は、フィルタ要素を保持する保持装置の保持要素の好ましい実施形態を示し、図３ａ部分は、ビーム形状の保持要素それ自体の斜視図、つまり、保持要素の溝形状の支持面を見ることができるように、フィルタ要素が保持要素に取り付けられていない斜視図を示し、図３ｂ部分は、保持要素の正面図を示し、フィルタ要素が保持要素の支持面に埋め込まれている。
【図４】図４は、図３と同様にフィルタスティックが取り付けられた保持要素の正面図を示しており、図４の実施形態は、弾性であり、その曲げられていない状態で若干凹形の背面を有する、若干の曲がりを付けた、それでもビーム形状の保持要素を示している。
【図５】図５は、２つの保持要素の正面図を示しており、フィルタ要素が、２つの保持要素を連結する準備のできた、裏面が向かい合った状態にある保持要素に取り付けられており、雌雄同体連結手段が示されている。
【図６】図６は、互いに連結された後の図５の２つの保持要素の正面図を示している。
【図７】図７は、図６と同様に互いに連結された２つの保持要素の正面図を示しており、連結手段は、両方の保持要素の貫通穴を含み、保持要素は、連結ピンを前記貫通穴に挿入することで互いにロックすることができる。
【図８】図８は、端部で２つの保持要素によって保持される直線状のフィルタロッドの２つの層の分解図を示しており、前記保持要素には、フィルタ要素が埋め込まれる支持面が両側に設けられている。
【図９】図９は、重なり合った２つの層に配置され、前記棒形状のフィルタ要素の中央部分に取り付けられた保持要素によって保持された、したがって、フィルタ要素が、２つの自由な、支持されていない端部を有する複数の直線状フィルタロッドの斜視図を示している。
【図１０】図１０は、フィルタ装置を通る空気流の方向の図９のフィルタ装置の正面図を示している。
【図１１】図１１は、空気流をフィルタ装置に通させる通風手段の正面図を示している。
【図１２】図１２は、図１１の通風手段に取り付けられた図１０のフィルタ装置の正面図を示している。
【図１３】図１３は、図１２の通風手段に取り付けられたフィルタ装置の側面図を示しており、フィルタ要素を保持する２つの保持要素が互いに保持され、通風手段のロック用突起と係合した、側部の鎹状固定クランプによって通風手段に連結されている。
【図１４】図１４は、本発明のさらなる実施形態によるフィルタ装置の正面図を示しており、フィルタ要素を保持するビーム形状の保持要素がフィルタ層を対角線方向に横断して延びている。
【図１５】図１５は、図１１と同様な通風手段の正面図を示している。
【図１６】図１６は、図１５の通風手段に取り付けられた図１４のフィルタ装置の正面図を示している。
【図１７】図１７は、共通保持要素によって保持された渦巻形状の蛇状フィルタロッドを含むフィルタ装置を示しており、図１７Ａ部分は、渦巻軸の方向に見た場合の渦巻状フィルタロッドの正面図を示し、図１７Ｂ部分は、２つの渦巻状フィルタロッドが空気流の方向に互いに離間し、その内側端で保持要素に取り付けられているのを示す、渦巻軸に対して垂直な方向に見た場合の、渦巻状フィラロッドの側面図を示している。
【図１８】図１８は、通風手段の駆動ユニット、またはそのような駆動ユニットを保持するための保持フレームの後ろ側に取り付けられた図１７のフィルタ装置の側面図を示している。
【図１９】図１９は、図２０とともに、互いに相補的な形状を有する２つの渦巻状フィルタロッドの正面図を示しており、各渦巻状フィルタロッドは、線形渦巻の形状を有する。
【図２０】図２０は、図１９とともに、互いに相補的な形状を有する２つの渦巻状フィルタロッドの正面図を示しており、各渦巻状フィルタロッドは、線形渦巻の形状を有する。
【図２１】図２１は、共通の中心部片に一体に連結され、対数渦巻の間隔を有する２つの渦巻状ロッドの正面図を示している。
【図２２】図２２は、フィルタ層を空気流中に間接的に取り付ける取付フレームの挿入凹部に挿入された、図８と同様なフィルタ層の平面図を示している。
【図２３】図２３は、本発明の別の好ましい実施形態による、フィルタ装置が取り付けられた通風手段を支持するＬ字形状の支持要素を含む支持構造体を示す、図１８と同様な側面図を示している。
【発明を実施するための形態】
【００４５】
図１は、この実施形態では直線状フィルタロッド１３によって形成された複数のフィルタ要素６を含むフィルタ装置１を示している。前記フィルタ要素６は、重なり合った第１のフィルタ層４ａおよび第２のフィルタ層４ｂに配置されており、フィルタ要素６は、基本的に、互いに平行に延びている。図１、図６、および図７から分かるように、異なる層のフィルタ要素は、第１の層４ａのフィルタ要素６が、第２の層４ｂのフィルタ要素６間の間隙と重なるように、互いに対してずれているのが好ましい。特に、フィルタ層４ａ、４ｂはともに、フィルタ要素間に同じ仕切り間を有することができ、フィルタ要素の長手軸に垂直な方向のずれは、２つの隣接するフィルタ要素間の距離の半分である（図６および図７を参照のこと）。
【００４６】
フィルタ要素および仕切り間は異なる寸法を有してよいが、１つの層４の隣接するフィルタ要素６間の間隙は、好ましくは、フィルタ要素６の直径とほぼ一致する幅を有する（図７を参照のこと）。結果として、２つの層４ａ、４ｂが１つの共通平面に置かれた場合、フィルタ要素６は互いに接触し、ふさがったパネルを形成する。ただし、直径および／またはフィルタ要素間の仕切り間は変えることもでき、したがって、他の幾何学的構造が可能である。
【００４７】
図６および図７で示すように、異なるフィルタ層４ａ、４ｂのフィルタ要素６間の距離も、フィルタロッドの直径の範囲内とすることができ、有益な実施形態では、空気流の方向に測定した場合に、第１の層の上側面から上側層の下側面までの距離が、フィルタ要素の直径よりも若干短い。異なるフィルタ要素は異なる直径を有してよいが、すべてのフィルタ要素が同じ直径であるのが好ましい。図に示すように、フィルタ要素は、円形断面の円筒形状を有することができる。
【００４８】
好ましい実施形態によれば、フィルタ層４ａのフィルタ要素６は、図に示すようなバーまたはビーム形状であるのが好ましい少なくとも１つの保持要素９を含むフィルタホルダ５によって所定の位置に保持される。より具体的には、支持面１０を有する保持要素９を使用することができ、フィルタ要素６は、それらの支持部分６ｄの円周面で支持面１０に埋め込まれる。
【００４９】
図３に示すように、保持要素９の支持面１０は、フィルタ要素６の円周外形に合った外形を有することができる。特に、前記支持面は溝形状の窪みを有することができ、フィルタ要素６の支持部分６ｄは、フィルタ要素６と保持要素９との間で面接触するように溝形状の窪みに収まる、または埋め込まれる。円筒状フィルタロッドを使用する場合、保持要素９の支持面１０の前記窪みは、円筒状支持溝１８として形成することができる。
【００５０】
図３から分かるように、フィルタ要素６は、フィルタ要素６の円周面の一部の領域が保持要素６に埋め込まれ、それに対して、フィルタ要素の円周面の残りの部分は埋め込まれない、かつ／または前記支持面１０より上に突出することができるように、保持要素９の支持面１０に一部のみが埋め込まれている。図に示した実施形態では、フィルタ要素６は、その直径の半分で保持要素９に埋め込まれている。言い換えると、１／２πの領域が埋め込まれている（図３を参照のこと）。
【００５１】
埋め込まれたフィルタ要素６と反対側の保持要素９の裏面は、図５〜７に示すように、２つの保持要素９が、裏面を向かい合わせて互いに結合されるのを可能にする、実質的に平坦な取付面１１を形成している。こうして、モジュール式のフィルタ装置６が形成され、複数のフィルタ層４を簡単な方法で重ね合わせて配置することができる。
【００５２】
図５および図６に示すように、保持要素９には、同一形状の保持要素９が互いに連結されるのを可能にする雌雄同体の連結手段１２を設けることができる。図５および図６の実施形態では、前記雌雄同体の連結手段１２は、前記支持面１０の反対側に配置された連結ピン３２および連結穴３３を含み、連結ピン３２および連結穴３３は、合致した態様で、保持要素９同士を重ねて合わせて取り付けることができるように、保持要素９の中央から同じ距離離間している。
【００５３】
図５および図６から分かるように、フィルタ要素６は保持要素９の中心、および／または連結手段１２の間の中心に対してずれており、そのずれは、フィルタ要素６の長手軸に対して垂直方向である。特に、前記ずれは、図６に示すように、２つの保持要素９が互いに連結された場合に、一方の層４ａのフィルタ要素６が、他方のフィルタ層４ｂのフィルタ要素６間の間隙１７と重なるようにされる。
【００５４】
２つの保持要素９の摩擦によるロックを強化するために、保持要素は、弾性材料で作製することができ、かつ／または図４に示すように若干の曲がりを付けることができて、他の保持要素９に連結された場合に弾性変形を受ける。
【００５５】
図５および図６に示す連結ピン３２および連結穴３３の代替として、他の連結手段１２を設けることができる。例えば、保持要素９には、連結ピン、またはねじ、または他の係合手段を挿入できる、図７に示すような貫通穴３４を設けることができる。前記貫通穴３４は、異なる保持要素９が、合致した態様で、裏面を向かい合わせて互いに重ねられた場合に、前記異なる保持要素９の貫通穴３４が、互いに一列に並ぶように配置されるのが好ましい。
【００５６】
図８に示すように、フィルタ要素６の両端が所定の位置に支持および保持されるように、２つの保持要素をフィルタ要素６の両端部分６ａ、６ｂに取り付けることができる。
【００５７】
図９に示す代替の実施形態では、フィルタ要素６は、自由な、支持されない端部６ａ、６ｂを有するように、片持ちの態様で支持されている。図９Ａに示すように、フィルタ要素６が２つの支持されない自由な端部６ａ、６ｂを有するように、保持要素９を前記フィルタ要素６の中央部分６ｃに取り付けることができる。フィルタ要素６のそのような片持ち支持は、フィルタホルダ５の大きさを縮小し、ひいては、フィルタ要素６の有効フィルタ面を増大させるだけでなく、型成形プロセスでのフィルタ要素６および保持要素９の製造を容易にもする。特に、図９に示すような支持構造は、フィルタ要素６および保持要素９が互いに一体化して１つの部片に形成される場合でさえ、フィルタ要素６および保持要素９から成形型半体を取り外す離型ステップを容易にする。図９から分かるように、保持要素９およびフィルタ要素６を含む一部片構造体は、フィルタ要素の長手軸の方向にアンダーカットおよび逆勾配のない形状を有することができて、フィルタスティックの長手軸に垂直な分割面がある。
【００５８】
図９ｂおよび図９ｃから分かるように、フィルタ要素６および保持要素９を１つの部片に成形／焼結するために使用される成形型半体２９、３０は、前記半体２９、３０をフィルタ要素６の長手軸２５に実質的に平行な方向に、互いから遠ざけることで取り外すことができる。
【００５９】
有効フィルタ面を最大化するために、保持要素９は、フィルタスティックと同じ材料で作製することができ、これは、型成形プロセスをさらに容易にする。しかし、前記一体化した一部片構造体が形成される場合であっても、保持要素９およびフィルタ要素６は、例えば、２部品構成の型成形プロセスを用いて、異なる材料で作製することができる。これは、保持要素９がより剛性の材料および／または強化材料で作製されるのを可能にする。
【００６０】
図１０〜１３は、図９の実施形態と同様に、複数の直線状フィルタロッド１３が、中央部分６ｃで共通保持バーによって支持された実施形態を示している。図９の実施形態と異なり、フィルタ要素６は、図７を参照して説明したように、裏面が向かい合って互いに連結された２つの保持要素９の支持面１０に埋め込まれている。図１３から分かるように、フィルタ要素６の２つの層４ａ、４ｂは、裏面で互いに重ね合わせた２つの保持要素９によって保持されている。
【００６１】
清浄される空気を吹き出してフィルタ装置１に通すために、通風手段２を設けることができ、前記通風手段２は、通風装置軸２０のまわりに回転可能で、前記通風装置軸２０に連結された複数の通風装置ブレード１５を含む通風ホイール１９を有する。さらに、通風手段２０は、駆動ユニットホルダによって支持されたハウジング２１内に受け入れられる電気モータを通常有することができる駆動ユニット１６を含む。
【００６２】
図１３で示すように、フィルタ装置１は通風手段２の正面に配置され、フィルタ層４は、通風装置軸２０に対して実質的に垂直であり、かつ／または通風装置ブレード１５によって生じた空気流の主方向に対して垂直である。より好ましくは、フィルタ装置１は、前記通風手段２の駆動ユニットおよび通風装置ブレードを囲む、または閉じ込める、好ましくは管形状またはチャネル形状の通風ハウジング３００の開口の正面に配置され、フィルタ装置は、通風ハウジング３００に直接取り付けることができる。図１３の実施形態では、フィルタ装置１は、通風ホイール１９の正面に配置されているが、代替方法として、またはそれに加えて、フィルタ装置は、図１８および図２３に示すように、通風ホイール１９と反対側の駆動ユニット１６の後ろ側に配置することもできる。そのような構成によって、フィルタ装置１は、特に回転している状態で、通風装置ブレード１５に不必要に触れる、または接触することを阻止する保護体として必要なことがある任意の保護格子の代用となることができる。
【００６３】
好ましくは、フィルタホルダ９、より具体的には、フィルタホルダの保持要素９は、フィルタ装置１を通風手段２および／またはこの通風手段２用のホルダに取り付けるために使用される。保持要素９と、通風手段２または通風手段の取付構造体との間の連結は様々なものがあり得る。図１３に示す好ましい実施形態によれば、側部クランプ装置２２は、通風手段２の前面で各保持要素９をともに保持し、クランプ装置２２は、通風手段２のロック用外形部と係合する固定クランプ２３を含むことができる。図１３の実施形態では、固定クランプ２３は、通風手段２の横突起と係止した形で係合するフックをその先端に有する。前記固定クランプ２３は弾性的に撓んで、通風手段２から外すことができる。別の実施形態では、保持要素９は、特に回転している状態で、通風装置ブレード１５に不必要に触れる、または接触することを阻止する保護体として必要なことがある保護格子に取り付けられるように構成することができる。
【００６４】
図１４〜１６に示すように、バー形状の保持要素９は、必ずしもフィルタ要素９の長手軸に対して垂直な方向にフィルタ層４を横断して延びるのではなくて、対角線方向に延びることができる。図１４に示すように、保持要素９は、フィルタ要素６の長手軸に対して約３０°〜約６０°の角度で延び、保持要素９は、フィルタ層４の角から対向する角に延びている（図１４を参照のこと）。
【００６５】
図１６で示すように、保持要素９の通風手段２への連結には、必ずしも任意のクランプ装置２２が含まれるのではなくて、ねじまたはボルト連結器などの固定装置が含まれ得る。フィルタ層４の円周を越えて延びる保持要素９の両端部は、貫通穴２４を含むことができ、この貫通穴を通じて、ねじまたはボルトを通風手段２または通風手段のホルダに連結することができる。
【００６６】
フィルタ装置１のフィルタ層４は、前述の保持要素９を用いて直接取り付けられなくてもよい。図２２に示すように、取付フレーム２６を使用することができ、取付フレームは、図２２に示すような閉じたリング形状を有することができるが、例えば、図２２の取付フレーム２６の４つの脚部３１のうちの２つまたは３つだけを有することで、開いた構成とすることもできる。前記取付フレーム２６は、フィルタ層４を、例えば、通風装置の上記の駆動ユニットのような、任意の適切な支持構造体に間接的に取り付けるために設けられる。
【００６７】
図２２に示すように、取付フレーム２６は、空気流３の方向、および／またはフィルタ層４によって画定される平面に垂直な方向に見た場合に、フィルタ層４の投影された領域２８に完全に重なる挿入凹部２７を含む。これは、フィルタ層４を、空気流３の方向、および／またはフィルタ層４によって画定される平面に垂直な方向で取付フレーム２６に着脱するのを可能にする。
【００６８】
挿入凹部２７の大きさおよび／または寸法は、フィルタ層４が、圧入の態様で挿入凹部２７内に保持されるように、フィルタ層４の大きさ、および／または寸法、および／または形状に合わされるのが好ましい。特に、挿入凹部２７の幅は、直線状フィルタスティックの長手軸の方向のフィルタ層４の長さと一致する。結果として、フィルタスティックは、フィルタ層４を取付フレーム２６に確実に固定するために、フィルタスティックの最終段で必要な摩擦を生じさせる圧力柱として使用することができる。横方向、つまり、フィルタスティックの長手軸２５に垂直な方向において、挿入凹部は、フィルタ層４よりも幅広く形成することができ、そのため、フィルタスティックに作用する、フィルタスティックの長手軸に垂直な方向の圧力は全くない。
【００６９】
図１７の実施形態では、フィルタ装置１は、渦巻状フィルタロッド１３によって形成され、共通の保持要素９によって支持されたフィルタ要素６を含む。より詳細には、渦巻形状のフィルタ要素６の内側端６ａは、ロッド形状の保持要素９に堅固に連結されている。
【００７０】
渦巻形状のフィルタロッドは互いに対してずれており、回転方向のずれ、および軸方向のずれがある（図１７を参照のこと）。２つの渦巻形状のフィルタロッドは、基本的に同一形状を有し、第１の渦巻状フィルタロッドが、渦巻軸の方向、または空気流３の主方向に見た場合に、第２の渦巻状フィルタロッドの脚部間の間隙に重なるように、約１８０°だけ互いに対して回転方向にずれている。さらに、前記空気流３の方向に軸方向のずれがある。言い換えると、渦巻形状のフィルタ要素６の内側端６ａは、軸方向に異なる位置で、保持要素９の円周の反対側に取り付けられている（図１７を参照のこと）。
【００７１】
フィルタ要素６を片持ちの態様で支持するそのような中心保持要素９は、有効フィルタ面を最大限にし、フィルタホルダ５によるフィルタ要素に対する遮蔽を最小限にする。図１７のフィルタ装置１を通風手段２に取り付ける有利な方法が図１８に示されている。中心保持要素を使用して、フィルタ装置１を通風手段２の駆動ユニット１６の後ろ側に取り付けることができ、保持要素９は、前記駆動ユニット１６用のホルダに連結することができる。
【００７２】
別の実施形態では、渦巻形状のフィルタ装置は、図２２に示すものと同様な取付フレームを用いて取り付けることができる。この場合に、取付フレームは、円形に形成されてよいし、または円形部分もしくは円形セグメントを含んでもよく、空気流の方向および／またはフィルタ層４によって画定される平面に垂直な方向に見た場合に、図２２のフィルタのフィルタ層４の投影された領域に完全に重なる挿入凹部を含むことができる。
【００７３】
本発明によるさらなる実施形態では、フィルタ装置を支持または補強して、剛性を改善するために、フィルタ層４ａ、４ｂ間に支持要素を設けることができる。支持要素は、分離スペーサまたは間座として構築されてよいし、あるいは１つまたは複数のフィルタロッドとともに単体として構築されてもよく、支持要素は、フィルタロッドから実質的に垂直に（すなわち、主空気流の方向に）突出することができる。
【００７４】
図１９および図２０は、渦巻形状のフィルタ要素６の別の実施形態を示し、２つの渦巻形状のフィルタロッドが互いに相補的に形成されている。図１９と図２０とを比較すると容易に分かるように、図２０の渦巻状フィルタロッド６は、他方の渦巻状フィルタロッドの脚部間の間隙１７に密接して嵌合する。言い換えると、２つの渦巻状フィルタロッドが同じ平面に配置された場合、完全にふさがった、隙間のないパネルが画定される。フィルタ要素のこの相補的な形状により、例えば、板形状のブランクをレーザカットするなどして切り抜くことで、フィルタ要素の製造を容易にすることができる。
【００７５】
図１９および図２０の渦巻状フィルタロッドは、基本的に、図１７および図１８に示すのと同様に取り付けることができる。
【００７６】
線形渦巻の形状を有するフィルタロッドを示す図１７、図１９、および図２０と異なり、図２１は、対数渦巻の形状を有する２つのフィルタ要素６を示している。フィルタ要素６を形成するフィルタロッドは、内側端６ａを用いて、フィルタロッドと同じ材料でできた共通コア部分に連結されているので、コア部分を含む渦巻状フィルタロッドが、同じ材料から１つの部片に一体に形成されてもよい。したがって、前記コア部分は、図１８に関して説明したように、通風手段２の空気流３内でフィルタ要素６を保持する保持要素９を形成することができる。
【００７７】
さらなる実施形態では、保持要素９は、フィルタ装置を支持または補強して剛性を改善するために、図２１に示すように、好ましくは直径方向に延びる、好ましくはバーまたはビーム形状部分９ａを含むことができる。バーまたはビーム形状部分９ａは、少なくともフィルタ要素６の部分が、その支持部分６ｄの円周面で埋め込まれる支持面１０を含むことができる。
【００７８】
図１８から分かるように、通風手段およびフィルタ装置を含むユニットは、支柱、アーム、または駆動ユニット１６に連結された他の任意の支持要素を用いて連結された取付ベース部を含む駆動ユニット支持体により取り付けることができる。
【００７９】
通風手段２およびフィルタ装置１を含むユニット用の支持構造体の別の好ましい実施形態が図２３に示されている。支持装置は、空気流および通風ブレードの回転軸に対して実質的に垂直方向に延びる第１の脚部２０１を有する略Ｌ字形状の支持要素２００を含む。前記第１の脚部２０１は、通風装置ブレード１５によって画定される円形領域の直径よりも若干大きい中心凹部を含む板形状の脚部を形成することができる。前記第１の脚部２０１は、駆動ユニット１６、および、好ましくは通風装置ブレード１５も囲むユニットのハウジング３００に連結されている。図２３から分かるように、前記第１の脚部２０１は、駆動ユニット１６の通風装置ブレード側に面して延び、前記第１の脚部２０１は、通風装置ブレード１５に近接した平面内で、好ましくは通風装置ブレード１５の外側正面に面して延びることができる。
【００８０】
Ｌ字形状の支持要素は、第１の脚部２０１に強固に連結され、同様に、実質的に板形状とすることができる第２の脚部２０２をさらに含む。前記第２の脚部２０２は、前記第１の脚部２０１から、空気流および通風ブレード１５の回転軸に実質的に平行な通風手段２の側面に沿って延び、前記第２の脚部２０２は、駆動ユニット１６を囲む前記ハウジング３００から離間している。第２の脚部２０２は、支持要素が、例えば、ゲーム機械のキャビネットの内側に取り付けられ得るように、ねじまたは他の固定手段用の穴などの取付手段を含む。
【００８１】
図２３によれば、フィルタ装置１は、駆動ユニット１６の通風装置ブレード１６と反対の側に配置されている。一方、別の実施形態によれば、フィルタ装置１は、通風装置ブレード１６の駆動ユニットと反対の側に配置することができ、フィルタ装置１は、支持要素２００の第１の脚部２０１とともに、通風ハウジングの開口部で通風ハウジング３００に取り付けることができる。
【００８２】
説明したフィルタスティックを有するフィルタ装置１が使用される場合、フィルタ装置は、通風手段に面したいずれの側にも配置することができる。他方で、説明したようなスポンジ材料でできたフィルタ層を有するフィルタ装置１を使用する場合、フィルタ装置は、通風手段に面した「右」側に配置されるので、空気流はフィルタ層を右方向に通過する。
【図１】
2013510703.tif 000003
【図２】
2013510703.tif 000004
【図３Ａ】
2013510703.tif 000005
【図３Ｂ】
2013510703.tif 000006
【図４】
2013510703.tif 000007
【図５】
2013510703.tif 000008
【図６】
2013510703.tif 000009
【図７】
2013510703.tif 000010
【図８】
2013510703.tif 000011
【図９Ａ】
2013510703.tif 000012
【図９Ｂ】
2013510703.tif 000013
【図９Ｃ】
2013510703.tif 000014
【図１０】
2013510703.tif 000015
【図１１】
2013510703.tif 000016
【図１２】
2013510703.tif 000017
【図１３】
2013510703.tif 000018
【図１４】
2013510703.tif 000019
【図１５】
2013510703.tif 000020
【図１６】
2013510703.tif 000021
【図１７Ａ】
2013510703.tif 000022
【図１７Ｂ】
2013510703.tif 000023
【図１８】
2013510703.tif 000024
【図１９】
2013510703.tif 000025
【図２０】
2013510703.tif 000026
【図２１Ａ】
2013510703.tif 000027
【図２１Ｂ】
2013510703.tif 000028
【図２２】
2013510703.tif 000029
【図２３】
2013510703.tif 000030
【国際調査報告】
2013510703.tif 000031
2013510703.tif 000032
2013510703.tif 000033
2013510703.tif 000034
2013510703.tif 000035